(57)【特許請求の範囲】
【請求項１】
外板を有する筐体と、
上記外板に設けられ、上記外板より上記筐体の内側方向に延出した位置で上記外板と平行に延びる挾持片を有する固定部と、
上記筐体の内部に収容される回路基板と、
上記回路基板に取り付けられ、この回路基板と上記外板との間に介在されるブラケットと、
上記ブラケットに形成され、上記回路基板を上記筐体の内部に収容した時に、上記外板と上記固定部の挾持片との間で挟み込まれる嵌合片と、を具備したことを特徴とする電子機器。
【請求項２】
請求項１の記載において、上記固定部は、上記筐体の内側に向けて張り出す縁部を有し、この縁部に上記ブラケットの嵌合片が接していることを特徴とする電子機器。
【請求項３】
外板を有する筐体と、
上記筐体の外板に互いに離間して設けられ、上記外板よりも上記筐体の内側に入り込んだ位置で上記外板と平行に延びる挾持片を有する一対の固定部と、
上記筐体の内部に上記外板に沿うような姿勢で収容され、拡張カードが選択的に取り外し可能に接続される回路基板と、
上記回路基板に取り付けられ、この回路基板と上記外板との間に介在されるブラケットと、
上記ブラケットに形成され、上記回路基板を上記筐体の内部に収容した時に、上記固定部の間に介在されるとともに、上記外板と上記固定部の挾持片との間で挟み込まれる嵌合片と、を具備したことを特徴とする電子機器。
【請求項４】
請求項１又は請求項３の記載において、上記筐体は、上記外板を有するベースと、このベースに被さるとともに上記回路基板を覆うカバーとを有することを特徴とする電子機器。
【請求項５】
請求項４の記載において、上記カバーは、上記ブラケットの嵌合片に接触することで、この嵌合片を上記筐体の固定部に押え込んでいることを特徴とする電子機器。
【請求項６】
請求項４の記載において、上記回路基板は、一端に端子部を有するとともに、この端子部とは反対側の他端に上記カバーと向かい合う縁部を有し、上記筐体は、上記回路基板の端子部が差し込まれるコネクタを内蔵していることを特徴とする電子機器。
【請求項７】
請求項６の記載において、上記回路基板の縁部と上記カバーとの間の隙間は、上記コネクタに対する上記端子部の差し込み長さよりも小さいことを特徴とする電子機器。
【請求項８】
請求項６の記載において、上記ブラケットは、上記回路基板の端子部が上記コネクタから離脱する方向に上記回路基板を引き出すイジェクトレバーを含み、このイジェクトレバーは、外板に接する一端と指先で操作する他端とを有するとともに、これら一端と他端との間で上記ブラケットに回動可能に支持され、上記一端を力点とする上記イジェクトレバーの回動により、上記回路基板を上記筐体から引き出すことを特徴とする電子機器。
【請求項９】
請求項１又は請求項３の記載において、上記ブラケットの嵌合片は、上記外板に摺動可能に接する凸部を有することを特徴とする電子機器。
【請求項１０】
請求項１又は請求項３の記載において、上記固定部は、上記外板に一体成形されていることを特徴とする電子機器。
【請求項１１】
請求項１又は請求項３の記載において、上記固定部は、上記外板から上記筐体の内側に張り出すとともに、この外板と上記挾持片との間に跨る連結片を有し、上記ブラケットの嵌合片は、上記回路基板を上記筐体の内部に収容した時に、上記連結片に接していることを特徴とする電子機器。
【請求項１２】
外板を有する筐体と、
上記筐体の外板に設けられ、上記外板よりも上記筐体の内側に入り込んだ位置で上記外板と平行に延びる挾持片と、この挾持片と上記外板との間に跨る連結片とを有する固定部と、
上記筐体の内部に収容され、拡張カードが取り外し可能に接続される回路基板と、
上記筐体の内部に配置され、上記回路基板の端子部が差し込まれるコネクタと、
上記回路基板に取り付けられ、この回路基板と上記外板との間に介在されるブラケットと、
上記ブラケットに形成され、上記回路基板を上記筐体の内部に収容した時に、上記外板と上記固定部の挾持片との間で挟み込まれるとともに、上記固定部の連結片に突き当たる嵌合片と、を具備したことを特徴とする電子機器。
【請求項１３】
請求項１２の記載において、上記固定部は、上記外板に一体成形されていることを特徴とする電子機器。
【請求項１４】
請求項１２の記載において、上記筐体は、上記外板を有するベースと、このベースに被さるとともに上記回路基板を覆うカバーとを有し、このカバーは、上記ブラケットの嵌合片に接触することで、この嵌合片を上記固定部に押え込んでいることを特徴とする電子機器。
【請求項１５】
請求項１４の記載において、上記回路基板は、上記端子部の反対側に上記カバーと向かい合う縁部を有し、この縁部とカバーとの間の隙間は、上記コネクタに対する上記端子部の差し込み長さよりも小さいことを特徴とする電子機器。
【請求項１６】
請求項１２の記載において、上記ブラケットは、上記回路基板の端子部が上記コネクタから離脱する方向に上記回路基板を引き出すイジェクトレバーを含み、このイジェクトレバーは、外板に接する一端と指先で操作する他端とを有するとともに、これら一端と他端との間で上記ブラケットに回動可能に支持され、上記一端を力点とする上記イジェクトレバーの回動により、上記回路基板を上記筐体から引き出すことを特徴とする電子機器。
【発明の詳細な説明】
【０００１】
【発明の属する技術分野】
本発明は、例えばPCIタイプカードのような拡張カードが接続される回路基板を内蔵した電子機器に係り、特に回路基板を筐体に取り外し可能に支持する構造に関する。
【０００２】
【従来の技術】
大容量のデータを取り扱うサーバのような電子機器は、CPUやメモリが実装されたプリント回路板、CD−ROM駆動装置およびハードディスク駆動装置のような各種の機能部品と、これら機能部品を収容する箱形の筐体とを備えている。筐体は、底板、左右の側板、前板および後板を有するベースと、このベースに被さるカバーとで構成されている。上記ベースは、上記機能部品を支持するとともに、上記カバーは、上記ベースと協働して機能部品を覆い隠している。
【０００３】
一方、この種の電子機器の筐体は、回路基板を内蔵している。回路基板は、例えばPCIタイプカードのような拡張カードを接続するためのものであり、上記プリント回路板に電気的に接続されている。この回路基板は、ベースの側板に沿って起立しており、その上部に拡張カードの端子部が差し込まれるコネクタを備えている。
【０００４】
さらに、回路基板には、補強用の金属製ブラケットが取り付けられている。ブラケットは、拡張カードの端子部をコネクタに抜き差しする際の回路基板の撓みを防止するためのものであり、この回路基板を間に挟んでコネクタと向かい合っている。このブラケットは、筐体の側板に複数のねじを介して締め付け固定されている。この固定により、回路基板の姿勢が定まるとともに、回路基板とプリント回路板との接続状態が維持されるようになっている（例えば、特許文献１参照）。
【０００５】
【特許文献１】
特開２００２−２８０７７８号公報（段落番号００６２〜００６５、図１０〜図１２）
【０００６】
【発明が解決しようとする課題】
従来の電子機器によると、拡張カードを受ける回路基板は、補強用のブラケットを利用して筐体の側板にねじ止めされている。このような構成によると、回路基板を筐体に組み込んだり、逆に筐体から取り外す際に複数のねじをドライバーのような工具を用いて一つ一つ締め付けたり弛める作業を必要とする。
【０００７】
このため、回路基板の着脱作業に多大な手間と労力を必要とし、作業に時間がかかるといった問題がある。それとともに、ブラケット固定用の専用のねじが必要となるので、ねじの分だけ部品点数が増大し、電子機器の製造コストが増大する不具合がある。
【０００８】
本発明の目的は、筐体に対する回路基板の固定および取り外し作業が容易となるとともに、回路基板の保持を容易に行うことができる電子機器を得ることにある。
【０００９】
【課題を解決するための手段】
上記目的を達成するため、本発明の一つの形態に係る電子機器は、
外板を有する筐体と、
上記外板に設けられ、上記外板より上記筐体の内側方向に延出した位置で上記外板と平行に延びる挾持片を有する固定部と、
上記筐体の内部に収容される回路基板と、
上記回路基板に取り付けられ、この回路基板と上記外板との間に介在されるブラケットと、
上記ブラケットに形成され、上記回路基板を上記筐体の内部に収容した時に、上記外板と上記固定部の挾持片との間で挟み込まれる嵌合片と、を具備したことを特徴としている。
【００１０】
この構成によれば、筐体に対する回路基板の固定および取り外し作業が容易となるとともに、回路基板の保持を容易に行うことができる。
【００１１】
【発明の実施の形態】
以下本発明の第１の実施の形態を、図１ないし図９に基づいて説明する。
【００１２】
図１ないし図３は、電子機器としてのサーバ１を開示している。このサーバ１は、機器本体２を備えている。機器本体２は、中空箱形の筐体３とフロント扉４とで構成されている。
【００１３】
筐体３は、ベース５およびカバー６を有している。これらベース５およびカバー６は、夫々板金プレス加工された金属板にて構成されている。ベース５は、長方形状の底板５ａ、左右の側板５ｂ，５ｃ、前板５ｄおよび後板５ｅを有している。側板５ｂ，５ｃ、前板５ｄおよび後板５ｅは、底板５ａの縁部から起立している。側板５ｂ，５ｃは、本発明の外板に対応するものであり、ベース５の幅方向に互いに向かい合っている。
【００１４】
図４に示すように、側板５ｂ，５ｃの上端部に夫々段付き部７とフランジ部８が形成されている。段付き部７は、筐体３の内側に向けてクランク状に僅かに折れ曲がっている。この段付き部７は、筐体３の奥行き方向に一直線状に延びる縁部９を有し、この縁部９に複数の係合孔１０が形成されている。係合孔１０は、スリット状をなすとともに、筐体３の奥行き方向に間隔を存して一列に並んでいる。フランジ部８は、段付き部７から上向きに延びている。このフランジ部８は、縁部９の分だけ側板５ｂ，５ｃよりも筐体３の内側に偏っている。
【００１５】
カバー６は、長方形状の天板１１を有している。天板１１は、ベース５の側板５ｂ，５ｃ、前板５ｄおよび後板５ｅの上縁の間に跨っている。この天板１１の左右の縁部に下向きに折り曲げられたフランジ部１２ａ，１２ｂが形成されている。フランジ部１２ａ，１２ｂは、側板５ｂ，５ｃのフランジ部８に被さるとともに、その下縁が段付き部７の縁部９に突き当たっている。
【００１６】
図１および図２に示すように、カバー６のフランジ部１２ａ，１２ｂの下縁に複数の係合片１３が形成されている。係合片１３は、フランジ部１２ａ，１２ｂの下縁から下向きに張り出すとともに、天板１１の奥行き方向に間隔を存して一列に並んでいる。これら係合片１３は、上記ベース５の係合孔１０に取り外し可能に差し込まれるものであり、夫々フランジ部１２ａ，１２ｂの下縁に沿うように延出する延出部１４を有している。延出部１４は、係合片１３が係合孔１０に差し込まれた状態において、ベース５の前板５ｄから遠ざかる方向に張り出している。
【００１７】
カバー６をベース５に取り付けるには、まず、カバー６の係合片１３をベース５の係合孔１０に挿入する。これにより、カバー６のフランジ部１２ａ，１２ｂがベース５の側板５ｂ，５ｃのフランジ部８に重なり合うとともに、フランジ部１２ａ，１２ｂの下縁が段付き部７の縁部８に突き当たる。
【００１８】
次に、カバー６をベース５の前板５ｄから遠ざかる方向にスライドさせる。このスライドにより、係合片１３の延出部１４が段付き部７の縁部９の下方に入り込み、この縁部９に引っ掛かる。この結果、カバー６がベース５に取り外し可能に連結される。
【００１９】
図２に示すように、天板１１の後縁に舌片１５が形成されている。舌片１５は、カバー６をベース５に連結した時にベース５の後板５ｅに突き当たるとともに、専用のねじ１６を介して後板５ｅに固定されている。この固定により、ベース５とカバー６との連結が維持され、係合孔１０から係合片１３が抜け出る方向へのカバー６の移動が阻止されている。
【００２０】
図１、図２および図７に示すように、筐体３は、CPUを搭載したプリント回路板１９、CD−ROM駆動装置２０、電源ユニット２１、CPUを冷却するヒートシンク２２および複数のハードディスク駆動装置（図示せず）のような各種の機能部品を内蔵している。プリント回路板１９は、ベース５の底板５ａの上にねじ止めされ、この底板５ａと平行に配置されている。CD−ROM駆動装置２０、電源ユニット２１および複数のハードディスク駆動装置は、底板５ａおよびプリント回路板１９の上に図示しないブラケットやフレームを介して支持され、側板５ｂ，５ｃ、前板５ｄおよび後板５ｅによって取り囲まれている。ヒートシンク２２は、プリント回路板１９の後部に位置し、ベース５の後板５ｅに取り付けたファンユニット２３と向かい合っている。さらに、上記機能部品１９〜２２は、上方からカバー６によって覆われている。
【００２１】
上記フロント扉４は、ベース５の前板５ｄに対応する大きさの長方形状をなしている。このフロント扉４は、図示しないヒンジ金具を介してベース５の底板５ａの前端部に支持されている。このため、フロント扉４は、前板５ｄを外から覆うように起立する閉じ位置と、前板５ｄの前方に向けて水平に倒れ込む開き位置との間に亘って回動可能となっている。
【００２２】
図１、図２および図７に示すように、筐体３は、回路基板２５を内蔵している。回路基板２５は、例えばPCIタイプカードのような拡張カード２６を接続するためのものである。この回路基板２５は、図４や図６に示すように、筐体３の奥行き方向に延びる細長い長方形状をなしており、CD−ROM駆動装置２０の背後において、右側の側板５ｃに沿うように起立している。
【００２３】
回路基板２５は、プリント回路板１９と向かい合う下端縁２５ａと、この下端縁２５ａの反対側に位置する上端縁２５ｂとを有している。回路基板２５の下端縁２５ａに端子部２７が形成されている。端子部２７は、プリント回路板１９の上面に実装されたコネクタ２８に上方から差し込まれている。そのため、プリント回路板１９と回路基板２５とは、互いに直交するような位置関係に保たれている。
【００２４】
回路基板２５の上端縁２５ｂは、カバー６の天板１１と向かい合っている。この天板１１と回路基板２５の上端縁２５ｂとの間の隙間gは、コネクタ２８に対する端子部２７の差し込み長さLよりも小さくなっている。このため、天板１１は、端子部２７がコネクタ２８から抜け出す方向への回路基板２５の移動を制限している。
【００２５】
回路基板２５の上端部に拡張コネクタ２９が実装されている。拡張コネクタ２９は、筐体３の奥行き方向に沿って水平に延びており、この拡張コネクタ２９に拡張カード２６の一端の端子部２６ａが取り外し可能に差し込まれている。拡張カード２６は、上記ヒートシンク２２の上方においてプリント回路板１９と平行に配置されている。
【００２６】
図６ないし図８に示すように、回路基板２５には、補強用の金属製ブラケット３１が取り付けられている。ブラケット３１は、拡張カード２６の端子部２６ａをコネクタ２９に抜き差しする際の回路基板２５の撓みを防止するためのものであり、回路基板２５を間に挟んでコネクタ２９と向かい合っている。このブラケット３１は、回路基板２５に沿って延びる細長い長方形状をなしており、その長手方向に沿う一端と他端がねじ３２を介して回路基板２５に固定されている。
【００２７】
ブラケット３１は、回路基板２５と筐体３の右側の側板５ｃとの間の隙間に介在されるとともに、この側板５ｃにねじを用いることなく取り外し可能に支持されている。このブラケット３１の支持構造について、図４ないし図９を参照して説明する。
【００２８】
図４、図５および図７に示すように、側板５ｃのフランジ部８は、一対の固定部３４ａ，３４ｂを有している。固定部３４ａ，３４ｂは、側板５ｃのフランジ部８を切り起こすことによりこのフランジ部８に一体成形されており、筐体３の奥行き方向に互いに離れている。
【００２９】
詳しく述べると、固定部３４ａ，３４ｂは、夫々フランジ部８よりも筐体３の内側に入り込んだ位置において、このフランジ部８と平行をなすように起立する挾持片３５と、この挾持片３５の下端とフランジ部８との間に跨る水平な連結片３６とを備えている。図９に示すように、一方の固定部３４ａの連結片３６と他方の固定部３４ｂの連結片３６は、互いに向かい合う縁部３７を有している。これら連結片３６の縁部３７は、筐体３の内側に向けて水平に張り出している。
【００３０】
上記回路基板２５のブラケット３１は、一対の嵌合片４０ａ，４０ｂを有している。嵌合片４０ａ，４０ｂは、ブラケット３１の上縁から上向きに張り出すとともに、このブラケット３１の長手方向に互いに離れている。これら嵌合片４０ａ，４０ｂは、回路基板２５をコネクタ２８に接続した時に、上記固定部３４ａ，３４ｂの連結片３６の間に介在されて、これら連結片３６によって挟み込まれるようになっている。
【００３１】
言い換えると、嵌合片４０ａ，４０ｂは、個々に連結片３６の縁部３７に摺動可能に接触しており、この接触により、筐体３の奥行き方向に対する回路基板２５の位置が規定されている。
【００３２】
さらに、嵌合片４０ａ，４０ｂは、夫々その上端部に凸部４１と延出部４２ａ，４２ｂとを有している。凸部４１は、フランジ部８に向けて張り出すとともに、この凸部４１の先端がフランジ部８の内面に摺動可能に接している。一方の嵌合片４０ａの延出部４２ａは、フランジ部８の一方の固定部３４ａに向けて張り出しており、この固定部３４ａの挾持片３５に摺動可能に接している。同様に、他方の嵌合片４０ｂの延出部４２ｂは、フランジ部８の他方の固定部３４ｂに向けて張り出しており、この固定部３４ｂの挾持片３５に摺動可能に接している。
【００３３】
それとともに、嵌合片４０ａ，４０ｂの延出部４２ａ，４２ｂの下縁は、夫々固定部３４ａ，３４ｂの連結片３６に上から突き当たっている。
【００３４】
したがって、嵌合片４０ａ，４０ｂは、固定部３４ａ，３４ｂの挾持片３５とフランジ部８との間で挟み込まれており、これにより筐体３の幅方向に対する回路基板２５の位置が規定されている。さらに、嵌合片４０ａ，４０ｂの延出部４２ａ，４２ｂと固定部３４ａ，３４ｂの連結片３６との接触により、筐体３に対する回路基板２５の差し込み量が規定されている。
【００３５】
この結果、回路基板２５は、嵌合片４０ａ，４０ｂと固定部３４ａ，３４ｂとの接触部分に生じる摩擦抵抗力によって筐体３のベース５に保持されている。
【００３６】
図４および図６に示すように、ブラケット３１は、その上縁から上向き張り出すレバー支持部４５を有している。レバー支持部４５は、一方の嵌合片４０ａと隣り合うとともに、上記回路基板２５の端子部２７の真上に位置している。このレバー支持部４５の上端部にイジェクトレバー４６が取り付けられている。
【００３７】
イジェクトレバー４６は、回路基板２５の端子部２７がコネクタ２８から離脱する方向に回路基板２５を引き上げるためのものである。このイジェクトレバー４６は、力点となる一端４７と、重点となる他端４８とを有するとともに、これら一端４７と他端４８との間の中間部が枢軸４９を介してレバー支持部４５に回動可能に支持されている。
【００３８】
図１および図２に示すように、イジェクトレバー４６は、回路基板２５をコネクタ２８に接続した時に、側板５ｃのフランジ部８と回路基板２５の上端部との間に介在されている。このフランジ部８の内面に、図５に示すようなレバー受け５０がねじ止めされている。レバー受け５０は、イジェクトレバー４６の一端４７と向かい合っている。
【００３９】
イジェクトレバー４６の他端４８を手の指先で引き上げると、図６の反時計回り方向にイジェクトレバー４６が回動する。この回動により、イジェクトレバー４６の一端４７がレバー受け５０に押し付けられる。この結果、てこの原理に従ってブラケット３１および回路基板２５に上向きの力が働き、回路基板２５の端子部２７がコネクタ２８から引き抜かれる。
【００４０】
図１ないし図３に示すように、機器本体２の筐体３は、合成樹脂製の化粧カバー５３によって覆われている。化粧カバー５３は、第１の化粧体５４と第２の化粧体５５とを備えている。第１の化粧体５４は、ベース５の底板５ａおよび側板５ｂ，５ｃの下半分を覆っているとともに、側板５ｂ，５ｃに複数のねじ５６を介して固定されている。
【００４１】
第２の化粧体５５は、側板５ｂ，５ｃの上半分およびカバー６を覆っているとともに、第１の化粧体５４に取り外し可能に引っ掛かっている。さらに、第２の化粧体５５は、その後縁にベース５の後板５ｅに重なり合う舌片５７を有している。この舌片５７は、カバー６の舌片１５と対応する位置にあり、上記ねじ１６を利用してベース５の後板５ｅに共締めされている。
【００４２】
このような構成のサーバ１において、回路基板２５を筐体３の内部のコネクタ２８に接続する手順について説明する。
【００４３】
まず、ねじ１６を弛めて取り外し、ベース５に対する第２の化粧体５５およびカバー６の固定を解除する。次に、第２の化粧体５５を第１の化粧体５４から取り外し、筐体３のカバー６を露出させるとともに、フロント扉４を開き位置に回動させる。
【００４４】
この状態でカバー６をフロント扉４の方向に向けてスライドさせ、係合片１３の延出部１４をベース５の係合孔１０と合致させる。それととともに、係合片１３の延出部１４を係合孔１０から引き抜くようにカバー６を持ち上げ、このカバー６をベース５から取り外す。
【００４５】
次に、回路基板２５をその端子部２７を下向きにした姿勢でベース５内に挿入し、この端子部２７をコネクタ２８に差し込む。それと同時に、ブラケット３１の嵌合片４０ａ，４０ｂを一対の固定部３４ａ，３４ｂの間に嵌め込む。この嵌め込みにより、個々の嵌合片４０ａ，４０ｂが固定部３４ａ，３４ｂの連結片３６の縁部３７に摺動可能に接触し、筐体３の奥行き方向に対する回路基板２５の位置が定まる。
【００４６】
さらに、嵌合片４０ａ，４０ｂの凸部４１がフランジ部８の内面に摺動可能に接触するとともに、これら嵌合片４０ａ，４０ｂの延出部４２ａ，４２ｂが固定部３４ａ，３４ｂの挾持片３５に摺動可能に接触する。これにより、嵌合片４０ａ，４０ｂが固定部３４ａ，３４ｂの挾持片３５とフランジ部８との間で挟み込まれ、筐体３の幅方向に対する回路基板２５の位置が定まる。
【００４７】
さらにまた、嵌合片４０ａ，４０ｂの延出部４２ａ，４２ｂの下縁が固定部３４ａ，３４ｂの連結片３６に上から突き当たる。これにより、回路基板２５の挿入量が定まり、コネクタ２８に対する端子部２７の過度の差し込みが制限される。
【００４８】
回路基板２５を筐体３から取り出すには、イジェクトレバー４６の他端４８に手の指先を引っ掛け、この他端４８を引き上げる。この操作により、イジェクトレバー４６が回動し、その一端４７がベース５のレバー受け５０に突き当たる。この結果、イジェクトレバー４６が一端４７を力点として回動するので、てこの原理に基づいてブラケット３１および回路基板２５に上向きの力が作用する。よって、回路基板２５の端子部２７がコネクタ２８から引き抜かれ、この回路基板２５をベース５から引き出すことができる。
【００４９】
このような構成によれば、回路基板２５は、その補強用のブラケット３１の嵌合片４０ａ，４０ｂをベース５の固定部４０ａ，４０ｂに嵌め込むことで、ベース５に保持される。このため、回路基板２５を固定する専用のねじが不要となり、この回路基板２５の取り付けおよび取り外し作業を工具を用いることなく簡単に行うことができる。
【００５０】
さらに、ねじが不要となるので、部品点数を削減することができ、その分、製造コストを抑えて安価なサーバ１を提供することができる。
【００５１】
加えて、上記構成によると、ブラケット３１にイジェクトレバー４６が取り付けられている。そのため、イジェクトレバー４６を指先で操作することにより、端子部２７がコネクタ２８から抜け出る方向に回路基板２５をベース５から引き出すことができる。
【００５２】
よって、回路基板２５を取り外す際に、側板５ｃとの間の狭い隙間に手の指先を差し入れたり、回路基板２５そのものを指先で掴む必要はなく、回路基板２５の取り出し作業を容易に行うことができる。
【００５３】
なお、本発明は上記第１の実施の形態に特定されるものではなく、図１０に本発明の第２の実施の形態を示す。
【００５４】
この第２の実施の形態は、主にブラケット３１の構成が上記第１の実施の形態と相違しており、それ以外のサーバ１の基本的な構成は、第１の実施の形態と同様である。そのため、第２の実施の形態において、第１の実施の形態と同一の構成部分には、同一の参照符号を付してその説明を省略する。
【００５５】
図１０に示すように、ブラケット３１の上縁に上向きに張り出す一つの嵌合片６１が形成されている。嵌合片６１は、第１の端縁６１ａと第２の端縁６１ｂとを有している。第１および第２の端縁６１ａ，６１ｂは、回路基板２５の挿入方向に沿って延びている。
【００５６】
第１の端縁６１ａは、回路基板２５をコネクタ２８に接続した時に、一方の固定部３４ａと隣り合うとともに、その連結片３６の縁部３７に摺動可能に接している。第２の端縁６１ｂは、回路基板２５をコネクタ２８に接続した時に、他方の固定部３４ｂと隣り合うとともに、その連結片３６の縁部３７に摺動可能に接している。
【００５７】
さらに、嵌合片６１は、第１の延出部６２、第２の延出部６３および一対の凸部６４ａ，６４ｂとを備えている。第１の延出部６２は、第１の端縁６１ａの上端部から一方の固定部３４ａに向けて張り出しており、この固定部３４ａの挾持片３５に摺動可能に接している。第２の延出部６３は、第２の端縁６１ｂの上端部から他方の固定部３４ｂに向けて張り出しており、この固定部３４ｂの挾持片３５に摺動可能に接している。第１および第２の延出部６２，６３の下縁は、夫々固定部３４ａ，３４ｂの連結片３６に上から突き当たっている。さらに、凸部６４ａ，６４ｂは、第１および第２の延出部６２，６３と隣り合う位置でフランジ部８の内面に摺動可能に接している。
【００５８】
したがって、ブラケット３１の嵌合片６１は、固定部３４ａ，３４ｂの挾持片３５と側板５ｃのフランジ部８との間で挟み込まれている。これにより、回路基板２５が側板５ｃに沿って起立した姿勢に保持されるとともに、端子部２７とコネクタ２８との接続状態が保持されるようになっている。
【００５９】
さらに、図１１は本発明の第３の実施の形態を開示している。
【００６０】
この第３の実施の形態は、側板５ｃのフランジ部８に対するブラケット３１の嵌合構造が上記第１の実施の形態と相違しており、それ以外のサーバー１の基本的な構成は、第１の実施の形態と同様である。
【００６１】
図１１に示すように、側板５ｃのフランジ部８に一つの固定部７１が一体に形成されている。この固定部７１は、フランジ部８よりも筐体３の内側に入り込んだ位置において、フランジ部８と平行をなすように起立する挾持片７２と、この挾持片７２の下端とフランジ部８との間に跨る水平な連結片７３とを備えている。
【００６２】
挾持片７２は、筐体３の内側に向けて水平に延びる一対の縁部７４ａ，７４ｂを有している。一方の縁部７４ａは、回路基板２５をコネクタ２８に接続した時に、一方の嵌合片４０ａに摺動可能に接触し、他方の縁部７４ｂは、回路基板２５をコネクタ２８に接続した時に、他方の嵌合片４０ｂに摺動可能に接触している。このことから、固定部７１は、嵌合片４０ａ，４０ｂの間に介在されるとともに、これら嵌合片４０ａ，４０ｂによって挟み込まれている。
【００６３】
さらに、嵌合片４０ａ，４０ｂは、夫々その上端部から固定部７１に向けて張り出す延出部７５ａ，７５ｂを有している。これら延出部７５ａ，７５ｂは、固定部７１の挾持片７２に摺動可能に接している。それとともに、延出部７５ａ，７５ｂの下縁は、夫々固定部７１に上から突き当たっている。
【００６４】
したがって、ブラケット３１の嵌合片４０ａ，４０ｂは、固定部７１の挾持片７２と側板５ｃのフランジ部８との間で挟み込まれている。これにより、回路基板２５が側板５ｃに沿って起立した姿勢に保持されるとともに、端子部２７とコネクタ２８との接続状態が保持されるようになっている。
【００６５】
本発明に係る電子機器は、サーバに特定されるものではなく、例えばデスクトップ形のパーソナルコンピュータのコンピュータ本体にも同様に実施可能である。
【００６６】
【発明の効果】
以上詳述した本発明によれば、筐体に対する回路基板の固定および取り外しが容易となるとともに、回路基板の保持を容易に行うことができる。
【図面の簡単な説明】
【図１】  筐体のベースからカバーを取り外した状態を筐体の前方から見た本発明の第１の実施の形態に係るサーバの斜視図。
【図２】  筐体のベースからカバーを取り外した状態を筐体の背後から見た本発明の第１の実施の形態に係るサーバの斜視図。
【図３】  本発明の第１の実施の形態に係るサーバの斜視図。
【図４】  嵌合片と筐体の固定部との位置関係を示す本発明の第１の実施の形態に係るサーバの斜視図。
【図５】  本発明の第１の実施の形態において、筐体の固定片およびレバー受けの形状を示す斜視図。
【図６】  本発明の第１の実施の形態において、ブラケットを有する回路基板の斜視図。
【図７】  嵌合片と筐体の固定部との位置関係を示す本発明の第１の実施の形態に係るサーバの断面図。
【図８】  嵌合片の凸部と固定部の挾持片との位置関係を示す本発明の第１の実施の形態に係るサーバの断面図。
【図９】  本発明の第１の実施の形態において、嵌合片と筐体の固定部との位置関係を示す側面図。
【図１０】  本発明の第２の実施の形態において、嵌合片と筐体の固定部との位置関係を示す側面図。
【図１１】  本発明の第３の実施の形態において、嵌合片と筐体の固定部との位置関係を示す側面図。
【符号の説明】
３…筐体、５ｃ…外板（側板）、１９…プリント回路板、２５…回路基板、２６…拡張カード、２７…端子部、２８…コネクタ、３１…ブラケット、３４ａ，３４ｂ，７１…固定部、３５，７２…挾持片、３６，７３…連結片、４０ａ，４０ｂ，６１…嵌合片。
【図１】
0003688685.tif 000002
【図２】
0003688685.tif 000003
【図３】
0003688685.tif 000004
【図４】
0003688685.tif 000005
【図５】
0003688685.tif 000006
【図６】
0003688685.tif 000007
【図７】
0003688685.tif 000008
【図８】
0003688685.tif 000009
【図９】
0003688685.tif 000010
【図１０】
0003688685.tif 000011
【図１１】
0003688685.tif 000012